(57)【要約】【課題】本発明は買い物時間短縮方法及びシステムに関し、商品の買い忘れを防止することができ、また商品の場所を速やかに探すことができる買い物時間短縮方法及びシステムを提供することを目的としている。【解決手段】通信手段１１と表示手段１２と選択手段１３とを有し、前記表示手段１２に表示された商品一覧から購入する商品を選択する自宅ＰＣサブシステム１と、通信手段２１と入力・表示手段２２を有し、識別番号を入力すると購入予定商品リストと陳列場所を表示する店内カートサブシステム２と、通信手段３１と、商品情報に関する制御を行なう制御手段３２と、商品に関する情報を記憶するデータベース３３とを有し、前記自宅ＰＣサブシステム１に商品一覧表示情報と識別情報とを送出すると共に、前記店内カートサブシステム２に購入予定商品情報とその陳列場所情報とを送出する店内サブシステム３と、により構成される。【選択図】      図２
2004234293.tif 000002
【特許請求の範囲】
【請求項１】
自宅ＰＣサブシステムと、店内サブシステムと、店内カートサブシステムとが接続されたシステムにおいて、自宅ＰＣサブシステムから店内サブシステムに対して商品一覧表示を要求する工程（ステップ１）と、
店内サブシステムは、自宅ＰＣサブシステムに商品一覧表示情報を送信し、自宅ＰＣサブシステムは商品一覧表示を行なう工程（ステップ２）と、
自宅ＰＣサブシステムは、表示された商品の中から購入する商品を選択する工程（ステップ３）と、
自宅ＰＣサブシステムは、店内サブシステムから識別子を受け取る工程（ステップ４）と、
店内カートサブシステムで、前記識別子を入力すると、該店内カートサブシステムは店内サブシステムから受信した情報を元に購入予定商品リストと陳列場所を表示する工程（ステップ５）と、
により構成される買い物時間短縮方法。
【請求項２】
通信手段と表示手段と選択手段とを有し、前記表示手段に表示された商品一覧から購入する商品を選択する自宅ＰＣサブシステムと、
通信手段と入力・表示手段を有し、前記自宅ＰＣサブシステムの識別番号を入力すると購入予定商品リストと陳列場所を表示する店内カートサブシステムと、
通信手段と、商品情報に関する制御を行なう制御手段と、商品に関する情報を記憶するデータベースとを有し、前記自宅ＰＣサブシステムに商品一覧表示情報と識別情報とを送出すると共に、前記店内カートサブシステムに購入予定商品情報とその陳列場所情報とを送出する店内サブシステムと、
により構成されてなる買い物時間短縮システム。
【請求項３】
前記自宅ＰＣサブシステムは、店内サブシステムと通信を行なう通信手段と、商品一覧と識別子を表示する表示手段と、前記商品一覧から購入予定品を選択する選択手段とを具備し、
前記店内カートサブシステムは、購入予定品リストの識別子を入力して購入予定品リストを表示する入力・表示手段と、店内サブシステムと通信する通信手段とを具備し、
前記店内サブシステムは、顧客に商品を表示する商品表示手段と、表示された商品の中から購入予定商品を選択してリストを作成する購入予定品作成手段と、作成リストの識別子を作成する識別子作成手段と、作成リスト及び識別子を記憶保持する購入予定品記憶手段と、記憶された購入予定品リストを読み出して表示する購入予定品表示手段とを含む制御手段と、通信先の自宅ＰＣサブシステム及び店内カートサブシステムと通信する通信手段と、各種商品情報を記憶するデータベースとを具備する
ことを特徴とする請求項２記載の買い物時間短縮システム。
【請求項４】
前記購入予定品リストを作成する際に、前記購入予定品作成手段は、店内の商品場所を含めて作成することを特徴とする請求項３記載の買い物時間短縮システム。
【請求項５】
前記購入予定品表示手段は、記憶された購入予定品リストを読み出して表示する際に、店内の商品場所を示す情報を含めて読み出すことを特徴とする請求項３記載の買い物時間短縮システム。
【発明の詳細な説明】
【０００１】
【発明の属する技術分野】
本発明は買い物時間短縮方法及びシステムに関する。
【０００２】
【従来の技術】
電子パーソナル買い物システムとしては、個人用ディジタル買い物支援装置と、スタンドアロン型店舗内端末装置と、ＰＯＳ端末装置とが接続されたシステムにおいて、ＰＯＳ端末と個人用ディジタル買い物支援システムとの間で通信を行なって、取引情報をリアルタイムで収集し、且つ効率的な価格設定、販売促進、及び他の個人別買い物支援システムのために個人の人口学的及び買い物履歴データを管理するシステムが知られている（例えば特許文献１参照）。
【０００３】
また、店舗プラットフォームコンピュータと、小売り施設内に配置されている幾つかの再構成可能表示ターミナルとの間で通信し、特定の顧客の特殊なニーズに応じて表示を再構成することのできる電子パーソナル買い物システムが知られている（例えば特許文献２）。
【０００４】
【特許文献１】
特開２０００−４０１８１号公報（第８頁、９頁、図１）
【特許文献２】
特開２０００−７６３５１号公報（第６頁、７頁、図１）
【０００５】
【発明が解決しようとする課題】
従来、個々の消費者が買いたい商品は、その店に存在するかどうかが不明であり、更に店舗に行ったとしても、何処に購入対象となる商品が置かれているか不明のケースが多くあり、数多くの買い物がある場合は、買い物忘れの発生や商品を捜すのに時間がかかっていた。
【０００６】
このため、どの店に何があるか不明で、買い物に行く前に考えたものを忘れてしまったり、商品の場所が分からず、探すのに時間がかかるという問題があった。
【０００７】
本発明はこのような課題に鑑みてなされたものであって、商品の買い忘れを防止することができ、また商品の場所を速やかに探すことができる買い物時間短縮方法及びシステムを提供することを目的としている。
【０００８】
【課題を解決するための手段】
（１）請求項１記載の発明は、以下の通りである。図１は本発明方法の原理を示すフローチャートである。本発明は、自宅ＰＣサブシステムと、店内サブシステムと、店内カートサブシステムとが接続されたシステムにおいて、自宅ＰＣサブシステムから店内サブシステムに対して商品一覧表示を要求する工程（ステップ１）と、店内サブシステムは、自宅ＰＣサブシステムに商品一覧表示情報を送信し、自宅ＰＣサブシステムは商品一覧表示を行なう工程（ステップ２）と、
自宅ＰＣサブシステムは、表示された商品の中から購入する商品を選択する工程（ステップ３）と、自宅ＰＣサブシステムは、店内サブシステムから識別子を受け取る工程（ステップ４）と、店内カートサブシステムで、前記識別子を入力すると、該店内カートサブシステムは店内サブシステムから受信した情報を元に購入予定商品リストと陳列場所を表示する工程（ステップ５）と、により構成されることを特徴とする。
【０００９】
このように構成すれば、自宅ＰＣサブシステム１の表示手段１２に表示された商品の中から購入する商品を選択することができ、この選択した商品のリストは消費者が店内カートサブシステム２に識別番号を入力することにより、店内で表示させることができるので、買い物忘れをすることがない。
（２）請求項２記載の発明は、以下の通りである。図２は本発明の原理ブロック図である。図において、１は通信手段１１と表示手段１２と選択手段１３とを有し、前記表示手段１２に表示された商品一覧から購入する商品を選択する自宅ＰＣサブシステム、２は通信手段２１と入力・表示手段２２を有し、前記自宅ＰＣサブシステム１の識別番号を入力すると購入予定商品リストと陳列場所を表示する店内カートサブシステム、３は通信手段３１と、商品情報に関する制御を行なう制御手段３２と、商品に関する情報を記憶するデータベース３３とを有し、前記自宅ＰＣサブシステム１に商品一覧表示情報と識別情報とを送出すると共に、前記店内カートサブシステム２に購入予定商品情報とその陳列場所情報とを送出する店内サブシステムである。
【００１０】
このように構成すれば、自宅ＰＣサブシステム１の表示手段１２に表示された商品の中から購入する商品を選択することができ、この選択した商品のリストは消費者が店内カートサブシステム２に識別番号を入力することにより、店内で表示させることができるので、買い物忘れをすることがない。
（３）請求項３記載の発明は、前記自宅ＰＣサブシステムは、店内サブシステムと通信を行なう通信手段と、商品一覧と識別子を表示する表示手段と、前記商品一覧から購入予定品を選択する選択手段とを具備し、前記店内カートサブシステムは、購入予定品リストの識別子を入力して購入予定品リストを表示する入力・表示手段と、店内サブシステムと通信する通信手段とを具備し、前記店内サブシステムは、顧客に商品を表示する商品表示手段と、表示された商品の中から購入予定商品を選択してリストを作成する購入予定品作成手段と、作成リストの識別子を作成する識別子作成手段と、作成リスト及び識別子を記憶保持する購入予定品記憶手段と、記憶された購入予定品リストを読み出して表示する購入予定品表示手段とを含む制御手段と、通信先の自宅ＰＣサブシステム及び店内カートサブシステムと通信する通信手段と、各種商品情報を記憶するデータベースとを具備することを特徴とする。
【００１１】
このように構成すれば、自宅ＰＣサブシステム１と、店内カートサブシステム２と店内サブシステム３の能力を最大限に引き出すことができ、商品の購入忘れがなくなる。
（４）請求項４記載の発明は、前記購入予定品リストを作成する際に、前記購入予定品作成手段は、店内の商品場所を含めて作成することを特徴とする。
【００１２】
このように構成すれば、購入予定品リストに加えて商品場所も作成されるので、商品の購入忘れがなくなり、また商品の陳列場所が容易に分かり、商品購入に要する時間を短縮することができる。
（５）請求項５記載の発明は、前記購入予定品表示手段は、記憶された購入予定品リストを読み出して表示する際に、店内の商品場所を示す情報を含めて読み出すことを特徴とする。
【００１３】
このように構成すれば、購入予定品リストに加えて商品場所も表示されるので、商品の購入忘れがなくなり、また商品の陳列場所が容易に分かり、商品購入に要する時間を短縮することができる。
【００１４】
【発明の実施の形態】
以下、図面を参照して本発明の実施の形態例を詳細に説明する。
【００１５】
図３は本発明の一実施の形態例を示すブロック図である。図２と同一のものは、同一の符号を付して示す。図において、１は自宅ＰＣサブシステム、２は店内カートサブシステム、３は店内サブシステムである。自宅ＰＣサブシステム１と店内サブシステム３とはインターネット５０を介して接続されており、店内カートサブシステム２と店内サブシステム３とは無線ＬＡＮ５１を介して接続されている。
【００１６】
自宅ＰＣサブシステム１において、１１はインターネット５０を介して店内サブシステム３と通信するための通信手段、１２は各種情報を表示する表示手段、１３は購入する商品を選択する選択手段である。
【００１７】
店内カートサブシステム２において、２１は無線ＬＡＮ５１を介して店内サブシステム３と通信するための通信手段、２２は自宅ＰＣサブシステム１の識別子の入力と、各種情報の表示を行なう入力・表示手段である。
【００１８】
店内サブシステム３において、３１はインターネット５０を介して自宅ＰＣサブシステム１と、無線ＬＡＮ５１を介して店内カートサブシステム２と通信する通信手段である。４０は商品を表示する商品表示手段、４１は購入予定品を作成する購入予定品作成手段、４２は購入予定品を記憶する購入予定品記憶手段、４３は識別子を作成する識別子作成手段、４４は購入予定品を表示する購入予定品表示手段である。なお、商品表示手段４０と購入予定品表示手段４４は共用化することもできる。
【００１９】
３３はデータベースであり、商品一覧データテーブル４５と、購入品データテーブル４６と、商品場所データテーブル４７から構成されている。商品表示手段４０と、購入予定品作成手段４１と、購入予定品記憶手段４２は、商品一覧データテーブル４５と、購入品データテーブル４６と、商品場所データテーブル４７と接続されている。また、識別子作成手段４３と、購入予定品表示手段４４は、購入品データテーブル４６と接続されている。また、購入予定品表示手段４４は商品場所データテーブル４７と接続されている。
【００２０】
以上、説明した商品表示手段４０と、購入予定品作成手段４１と、購入予定品記憶手段４２と、識別子作成手段４３と、購入予定品表示手段４４とで、図２の制御手段３２を構成している。
【００２１】
図４は商品一覧データテーブル４５の一例を示す図である。図に示すように、商品名と、個別品名と、個別品名コードと、メーカ名と、価格とで構成されている。図５は購入品データテーブル４６の一例を示す図である。図に示すように、個別品名と、個別品名コードと、価格と、個数と、小計と、識別子とで構成されている。ここで、識別名は例えば“Ｋｆｖ５８４”であり、個別品名が異なっても、同一自宅ＰＣサブシステムからの購入一覧である場合には、同じ識別名が付される。図６は商品場所データテーブル４７の一例を示す図である。図に示すように、個別品名コードと、棚場所から構成されている。例えば、個別品名コードが“Ｎ１００−７８９０”の商品は棚番号５６２に置かれていることが分かる。このように構成されたシステムの動作を説明すれば、以下の通りである。
【００２２】
自宅ＰＣサブシステム１からインターネット５０を介して店内サブシステム３に商品一覧表示を要求する。店内サブシステム３では、この要求を通信手段３１を介して受けると、商品表示手段４０が商品一覧データテーブル４５を検索して、商品一覧データを自宅ＰＣサブシステム１側に転送する。自宅ＰＣサブシステム１では、送信されてきた商品一覧のリストを表示手段１２に表示する。
【００２３】
自宅ＰＣサブシステム１では、操作者が表示手段１２に表示されている商品リストの中から購入する商品と個数を選択手段１３により選択する。この選択された内容は、インターネット５０を介して店内サブシステム３に送信される。店内サブシステム３では、送信されてきた情報を受けて、購入予定品作成手段４１が購入予定品リストを作成して購入予定品記憶手段４２にその内容を記憶する。該購入予定品記憶手段４２に記憶された内容は、購入品データテーブル４６に記憶される。
【００２４】
購入品データテーブル４６に記憶された購入商品リストは、読み出されて購入予定品表示手段４４に表示される。この時、商品場所データテーブル４７に記憶されているデータも読み出して、購入予定品とその陳列場所とが同時に購入予定品表示手段４４に表示される。
【００２５】
一方、識別子作成手段４３は、該当自宅ＰＣサブシステム１に付与される識別子を作成し、購入品データテーブル４６に記憶されている該当商品にその識別子を付与して記憶する。同時に、店内サブシステム３は、作成された識別子を自宅ＰＣサブシステム１に送信する。自宅ＰＣサブシステム１では、表示手段１２に送信されてきた内容が表示される。ここで、操作者は自宅ＰＣサブシステム１に付与された識別子を認識することができる。
【００２６】
次に、操作者（消費者）は、当該商品を販売している店に出向く。出向いた消費者は、店内カートサブシステム２に入力・表示手段２２から前記識別子を入力する。店内カートサブシステム２は、入力された識別子を無線ＬＡＮ５１を介して店内サブシステム３に送信する。店内サブシステム３では、送られてきた識別子を基に購入品データテーブル４６を参照し、該当する識別子に対応した商品を読み出し、無線ＬＡＮ５１を介して店内カートサブシステム２に送信する。店内カートサブシステム２では、入力・表示手段２２に購入商品リストと、個数と、小計と、識別番号と、棚場所とを表示する。
【００２７】
この店内カートサブシステム２の入力・表示手段２２に表示された内容を見て、消費者は自分が購入する予定の商品と、個数と、小計と、当該商品が陳列されている場所とを認識することができる。従って、本発明によれば、自宅ＰＣサブシステム１の表示手段１２に表示された商品の中から購入する商品を選択することができ、この選択した商品のリストは消費者が店内カートサブシステム２に識別番号を入力することにより、店内で表示させることができるので、買い物忘れをすることがない。
【００２８】
また、本発明によれば、図３に示すような構成をとることにより、自宅ＰＣサブシステム１と、店内カートサブシステム２と店内サブシステム３の能力を最大限に引き出すことができ、商品の購入忘れがなくなる。
【００２９】
図７は本発明の他の実施の形態例を示すブロック図である。図２、図３と同一のものは、同一の符号を付して示す。図において、１は自宅ＰＣサブシステムであり、インターネット５０を介して店内サブシステム３と接続されている。自宅ＰＣサブシステム１は、通信手段１１と表示手段１２と選択手段１３とを具備している。２は店内カートサブシステムであり、無線ＬＡＮ５１を介して店内サブシステム３と接続されている。店内カートサブシステム３は、通信手段２１と入力・表示手段２２を具備している。
【００３０】
３は店内サブシステムであり、インターネット５０を介して自宅ＰＣサブシステム１と接続され、無線ＬＡＮ５１を介して店内カートサブシステム２と接続されている。店内サブシステム３において、３１は通信手段、４０は商品表示手段、４１は購入予定品作成手段、４２は購入予定品記憶手段、４３は識別子作成手段、４４は購入予定品表示手段である。
【００３１】
３３は商品表示手段４０、購入予定品作成手段４１、購入予定品記憶手段４２、識別子作成手段４３、購入予定品表示手段４４と接続される商品に関する各種情報を記憶するデータベースであり、前述した商品一覧データテーブル４５、購入品データテーブル４６及び商品場所データテーブル４７等から構成されている。
【００３２】
図７に示したシステムは、店内サブシステム３から自宅ＰＣサブシステム１に与えられた識別子を店内カートサブシステム２に入力することで、購入予定品リストに加えて当該購入予定品の陳列場所が表示されるようになっていることが特徴である。このように構成されたシステムの動作を、図８に示すフローチャートを参照して説明すれば、以下の通りである。
【００３３】
図８は本発明の動作の一例を示すフローチャートであり、自宅ＰＣサブシステム１と、店内カートサブシステム２と、店内サブシステム３の動作を示している。先ず、自宅ＰＣサブシステム１から店内サブシステム３に対して、商品一覧要求を行なう（Ｓ１）。店内サブシステム３では、イベント要求待ち状態にある（Ｓ２）。この状態で商品一覧要求が来ると、商品表示手段４０はデータベース３３を参照して商品一覧データテーブル４５（図３参照）を読み出し、自宅ＰＣサブシステム１に送信する（Ｓ３）。
【００３４】
自宅ＰＣサブシステム１では、表示手段１２に商品一覧が表示される（Ｓ４）。消費者（操作者）は、表示手段１２に表示されている商品一覧を見ながら、選択手段１２により購入する商品の選択と、購入個数の選択を行なう（Ｓ５）。この選択情報は、インターネット５０を介して店内サブシステム３に送信される。店内サブシステム３では、購入予定品作成手段４１が、送信されてきた購入商品情報を用いて購入予定品を作成する（Ｓ６）。購入予定品の作成が終了したら、今度は識別子作成手段４３が識別子を作成し、自宅ＰＣサブシステム１に当該識別子を通知する（Ｓ７）。自宅ＰＣサブシステム１では、送られてきた識別子を表示手段１２に表示する（Ｓ８）。
【００３５】
ここで、消費者が該当する店に商品を買いに出かけたものとする。消費者は、ステップＳ８で表示された識別子を覚えており、その識別子を店内カートサブシステム２の入力・表示手段２２から入力する（Ｓ９）。入力された識別子情報は、無線ＬＡＮ５１を経由して店内サブシステム３に送信される。店内サブシステム３は、イベント要求待ちとなっているところに識別子情報が送信されてくる。店内サブシステム３は、この識別子から購入品表示要求であることを認識する（Ｓ２）。
【００３６】
店内サブシステム３では、購入予定品作成手段４１が購入品データテーブル４６を読み出して、購入予定品リストを作成し、店内カートサブシステム２に送信する（Ｓ１０）。
【００３７】
店内カートサブシステム２では、識別子が存在するかどうかをチェックしており（Ｓ１１）、識別子が存在する場合、店内サブシステム３からの購入予定品リストを受信する。また、店内サブシステム３では、購入予定品表示手段４４が商品場所データテーブル４７を検索して、商品陳列場所の取り出しを行ない、店内カートサブシステム２に送信する（Ｓ１２）。
【００３８】
店内カートサブシステム２では、識別子が存在するかどうかをチェックしており（Ｓ１１）、識別子が存在する場合には、店内カートサブシステム２では、受信された購入予定品リストと陳列場所を入力・表示手段２２に表示する（Ｓ１３）。図９は、店内カートサブシステム２の入力・表示手段２２の表示内容を示す図である。図に示すように、「お買い物の陳列一覧です。棚に無いときは係りまでご連絡下さい。」という表示が出て、識別子（＝Ｋｆｖ５８４）も表示される。そして、個別商品名と、陳列棚位置と、残り個数が表示される。
【００３９】
消費者は、この表示内容に従って、商品を購入するので、買い物忘れをすることがない。また、当該商品の陳列棚位置も表示されるので、商品の買い物忘れがなくなり、また、商品の陳列場所も分かるので、商品購入に要する時間を短縮することができる。
【００４０】
上述の実施の形態例では、自宅ＰＣサブシステム１と店内サブシステム３とをインターネットで結び、店内カートサブシステム２と店内サブシステム３とを無線ＬＡＮで結んだ場合を例にとって説明したが、本発明はこれに限るものではなく、その他のネットワーク、例えばイーサネット等を用いることができる。
【００４１】
【発明の効果】
以上説明したように、本発明によれば、以下の効果が得られる。
（１）請求項１記載の発明によれば、自宅ＰＣサブシステムの表示手段に表示された商品の中から購入する商品を選択することができ、この選択した商品のリストは消費者が店内カートサブシステムに識別番号を入力することにより、店内で表示させることができるので、買い物忘れをすることがない。
（２）請求項２記載の発明によれば、自宅ＰＣサブシステム１の表示手段１２に表示された商品の中から購入する商品を選択することができ、この選択した商品のリストは消費者が店内カートサブシステム２に識別番号を入力することにより、店内で表示させることができるので、買い物忘れをすることがない。
（３）請求項３記載の発明によれば、自宅ＰＣサブシステム１と、店内カートサブシステム２と店内サブシステム３の能力を最大限に引き出すことができ、商品の購入忘れがなくなる。
（４）請求項４記載の発明によれば、購入予定品リストに加えて商品場所も作成されるので、商品の購入忘れがなくなり、また商品の陳列場所が容易に分かり、商品購入に要する時間を短縮することができる。
（５）請求項５記載の発明によれば、購入予定品リストに加えて商品場所も表示されるので、商品の購入忘れがなくなり、また商品の陳列場所が容易に分かり、商品購入に要する時間を短縮することができる。
【００４２】
このように、本発明によれば、商品の買い忘れを防止することができ、また商品の場所を速やかに探すことができる買い物時間短縮方法及びシステムを提供することができる。
【図面の簡単な説明】
【図１】本発明方法の原理を示すフローチャートである。
【図２】本発明の原理ブロック図である。
【図３】本発明の一実施の形態例を示すブロック図である。
【図４】商品一覧データテーブルの一例を示す図である。
【図５】購入品データテーブルの一例を示す図である。
【図６】商品場所データテーブルの一例を示す図である。
【図７】本発明の他の実施の形態例を示すブロック図である。
【図８】本発明の動作の一例を示すフローチャートである。
【図９】店内カートサブシステムの表示画面例を示す図である。
【符号の説明】
１  自宅ＰＣサブシステム
２  店内カートサブシステム
３  店内サブシステム
４  通信手段
１１  通信手段
１２  表示手段
１３  選択手段
２１  通信手段
２２  入力・表示手段
３１  通信手段
３２  制御手段
３３  データベース（ＤＢ）
【図１】
2004234293.tif 000003
【図２】
2004234293.tif 000004
【図３】
2004234293.tif 000005
【図４】
2004234293.tif 000006
【図５】
2004234293.tif 000007
【図６】
2004234293.tif 000008
【図７】
2004234293.tif 000009
【図８】
2004234293.tif 000010
【図９】
2004234293.tif 000011